(57)【要約】【課題】天井等に取付支持具を取り付けた状態において吊下体を該取付支持具に着脱できる吊り掛け具を提供する。【解決手段】吊下体２は、吊下本体20の上端に係止用拡大部21を形成するとともに該係止用拡大部21の上端に前後幅と左右幅の異なる突起部23を突設して形成して、また、該吊下体２を着脱する取付支持具１は、碗状本体10の中央下端に係止孔11を設けるともに側面上部に前記吊下体20の係止用拡大部21が横方向から挿通できる挿入用拡大孔12を設けたうえ該挿入用拡大孔12と前記係止孔11との間に前記吊下本体20の係止用拡大部21の下方部が挿通できる連通孔部13を設け、さらに、前記挿入用拡大孔12の上端に前記突起部23の前後幅と左右幅のうち幅狭側が通過するが幅広側が通過できない切欠孔14を設ける。【選択図】図１
0003180585.tif 000002
【実用新案登録請求の範囲】
【請求項１】
天井面へ取付固定する取付支持具と、該取付支持具に着脱自在に吊り下げる吊下体よりなる吊り掛け具であって、
前記吊下体は、吊下本体の上端に係止用拡大部を形成するとともに該係止用拡大部の上端に前後幅と左右幅の異なる突起部を突設して、また、下端にはフック部を設けたものであり、
また、前記取付支持具は、碗状本体の中央下端に係止孔を設けるともに側面上部に前記吊下体の係止用拡大部が横方向から挿通できる挿入用拡大孔を設けたうえ該挿入用拡大孔と前記係止孔との間に前記吊下本体の係止用拡大部の下方部が挿通できる連通孔部を設け、さらに、前記挿入用拡大孔の上端に前記突起部の前後幅と左右幅のうち幅狭側が通過するが幅広側が通過できない切欠孔を設けたことを特徴とする吊り掛け具。
【請求項２】
前記吊下体の吊下本体の上端に設けた係止用拡大部を、吊下本体の上方に形成した円柱体部の上端に小径円柱部を連設して該小径円柱部に嵌着した前記係止孔より大径なリング体よりなるものとして、また、該リング体の上端より突出する小径円柱部を横方向にプレス加工して前後幅と左右幅の異なる突起部を係止用拡大部の上端に突設した請求項１に記載の吊り掛け具。
【請求項３】
前記取付支持具の碗状本体を、上端側の大径半球体部と下端側の小径半球体部よりなるものとして、また、前記吊下体の係止用拡大部の下面を前記小径半球体部の内弧面に合致する凸弧面に形成した請求項１又は２に記載の吊り掛け具。
【請求項４】
前記取付支持具を天井面への取付手段は、碗状本体の上端周縁に張設した取付用鍔部に設けたねじ挿通孔から止めねじを天井面にねじ止めして取り付けるものである請求項１〜３の何れか１項に記載の吊り掛け具。
【考案の詳細な説明】
【技術分野】
【０００１】
本考案は、軒下や天井に取り付けて物干し具、観葉植物等を吊り下げるために使用する吊り掛け具に関するものである。
【背景技術】
【０００２】
軒下や天井に取り付けて物干し具等を吊り下げる吊り掛け具としては、上部を開口して中央下端に係止孔を設けた碗状の係止本体の周縁に取付鍔部を設けてなる取付支持具と、前記係止孔の孔縁に係止する係止用拡大部を上端に設け、下端にはフック部を湾曲形成した棒状の吊下体よりなるものが知られている(例えば、特許文献１参照)。
【０００３】
ところが、これは吊下体を下端のフック部側から取付支持具の係止孔に上方から挿通して該吊下体の上端に設けた係止用拡大部を前記係止孔の孔縁に予め係止させてから前記取付支持具を取付鍔部をもって天井面に取付固定するものであった。このように吊下体を取付支持具に組み込んだ状態で天井等に取付しなければならず取付作業が面倒あり、また、使用しない場合にあっても吊下体を外すことができないものであった。
【０００４】
また、天井等に取付支持具を取り付けた状態において吊下体を該取付支持具に着脱できる吊り掛け具として、取付支持具の側面に吊下体の係止用拡大部を挿通できる拡大挿通孔を設け、該拡大挿通孔から吊下体の係止用拡大部を挿通して該拡大挿通孔に続けた連通孔に吊下体の軸棒部を通過させて係止用拡大部を係止孔に係止させるものが知られている（例えば、特許文献２，３参照）。しかしながら、これらは、不用意に吊下体の係止用拡大部が拡大挿通孔から抜け出て取付支持具から外れるのを防止するため、抜止防止用のばね等の抜止手段を設ける必要があり、構造が複雑となりコスト高となる問題があった。
【先行技術文献】
【特許文献】
【０００５】
【特許文献１】実開昭５２−１４７５２８号公報（第１図）
【特許文献２】特開平８−８９７号公報
【特許文献３】特開平２００５−２５３９７５号公報
【考案の概要】
【考案が解決しようとする課題】
【０００６】
本考案は前記のような問題を解決して、天井等に取付支持具を取り付けた状態において吊下体を該取付支持具に着脱でき、しかも不用意に吊下体が外れることがなく、かつ構造が簡単で安価に提供できる吊り掛け具を提供することを目的として完成されたものである。
【課題を解決するための手段】
【０００７】
本考案の吊り掛け具は、天井面へ取付固定する取付支持具と、該取付支持具に着脱自在に吊り下げる吊下体よりなる吊り掛け具であって、前記吊下体は、吊下本体の上端に係止用拡大部を形成するとともに該係止用拡大部の上端に前後幅と左右幅の異なる突起部を突設して、また、下端にはフック部を設けたものであり、また、前記取付支持具は、碗状本体の中央下端に係止孔を設けるともに側面上部に前記吊下体の係止用拡大部が横方向から挿通できる挿入用拡大孔を設けたうえ該挿入用拡大孔と前記係止孔との間に前記吊下本体の係止用拡大部の下方部が挿通できる連通孔部を設け、さらに、前記挿入用拡大孔の上端に前記突起部の前後幅と左右幅のうち幅狭側が通過するが幅広側が通過できない切欠孔を設けたことを特徴とするものを基本の考案とする。
【０００８】
そして、前記考案において、前記吊下体の吊下本体の上端に設けた係止用拡大部を、吊下本体の上方に形成した円柱体部の上端に小径円柱部を連設して該小径円柱部に嵌着した前記係止孔より大径なリング体よりなるものとして、また、該リング体の上端より突出する小径円柱部を横方向にプレス加工して前後幅と左右幅の異なる突起部を係止用拡大部の上端に突設することが、製造が容易で安価に提供でき好ましいものである。
【０００９】
また、前記取付支持具の碗状本体を、上端側の大径半球体部と下端側の小径半球体部よりなるものとして、また、前記吊下体の係止用拡大部の下面を前記小径半球体部の内弧面に合致する凸弧面に形成することが、吊下体の係止用拡大部が弧面により全体が支持されて係止孔が変形、損傷することがなく好ましいものである。
【００１０】
また、前記取付支持具を天井面への取付手段は、碗状本体の上端周縁に張設した取付用鍔部に設けたねじ挿通孔から止めねじを天井面にねじ止めして取り付けることが、取付作業が容易で好ましいものである。
【考案の効果】
【００１１】
前記した本考案の吊り下げ具は、天井面へ取り付けた取付支持具をベランダの軒下や室内天井等の天井面に取り付けるものである。そして、該取付支持具に着脱自在とした吊下体を吊り下げれば、吊下体の下端のフック部に物干し具、観葉植物等を掛けることができるものである。
【００１２】
本考案では、前記取付支持具に吊下体を吊下げるには、碗状本体の側面上部に設けた挿入用拡大孔に前記吊下体の係止用拡大部を横方向から挿通すればそれに伴い係止用拡大部の下方部が連通孔部を通過して係止用拡大部が係止孔の孔縁に達して係止して、吊下体が吊り下げられることになる。この場合に前記吊下体の係止用拡大部の上端に突設した前後幅と左右幅の異なる突起部を幅狭い方を前記挿入用拡大孔の上端に設けた切欠孔に合致させて行う。
【００１３】
このように、取付支持具をベランダの軒下や室内天井等の天井面に取り付けた後に吊下体を吊り下げることができるものである。しかも、取付支持具に吊下体を吊り下げた後に、前記吊下体の係止用拡大部の上端に突設した前後幅と左右幅の異なる突起部を幅広い方を前記挿入用拡大孔の上端に設けた切欠孔に合致させれば、吊下体は取付支持具から不用意に外れることはないものである。また、吊下体を取付支持具から外す場合は、前記吊下体の係止用拡大部の上端に突設した前後幅と左右幅の異なる突起部を幅狭い方を前記挿入用拡大孔の上端に設けた切欠孔に合致させれば容易に取り外すことができるものである。
【００１４】
また、吊下体は上端に設けた係止用拡大部を前記係止孔の孔縁に係止して吊り下げられるので、取付支持具を傾斜した天井面に取り付けても、吊下体は傾くことなく吊り下げできるものである。
【図面の簡単な説明】
【００１５】
【図１】本考案の実施形態を示す正面図。
【図２】本考案の実施形態を態様を異にして示す正面図。
【図３】本考案の実施形態を示す一部切欠正面図。
【図４】本考案の実施形態において取付支持具に吊下体を係止する第１の工程を示す正面図。
【図５】本考案の実施形態において取付支持具に吊下体を係止する第１の工程を示す一部切欠側面図。
【図６】本考案の実施形態において取付支持具に吊下体を係止する第２の工程を示す正面図。
【図７】本考案の実施形態において取付支持具に吊下体を係止する第３の工程を示す正面図。
【図８】本考案の実施形態に使用する吊下体を示す図であり、（Ａ）は側面図、（B）は側面図。
【図９】本考案の実施形態を傾斜した天井面に取り付けて示す正面図。
【図１０】本考案の実施形態に使用する取付支持具を示す底面図。
【図１１】本考案の実施形態に使用する吊下体の１例の製造工程を示す一部切欠側面図。
【図１２】本考案の実施形態に使用する吊下体の１例を示す一部切欠側面図。
【図１３】本考案の実施形態に使用する吊下体の１例を示す正面図
【考案を実施するための形態】
【００１６】
次に、本考案の好ましい実施の形態を図面に基づき説明する。
１は天井面（イ）へ取り付ける取付支持具であり、該取付支持具１には吊下体２が着脱自在に吊り下げるものとしている。
前記取付支持具１に着脱自在に吊り下げることができる吊下体２は、吊下本体２０の上端に係止用拡大部２１を形成するとともに該係止用拡大部２１の上端に前後幅と左右幅の異なる突起部２３を突設して、また、下端にはフック部２２を設けたものである。
【００１７】
また、前記取付支持具１は、碗状本体１０の中央下端に係止孔１１を設けるともに側面上部に前記吊下体２の係止用拡大部２１が横方向から挿通できる挿入用拡大孔１２を設けたうえ該挿入用拡大孔１２と前記係止孔１１との間に前記吊下本体２の係止用拡大部２１の下方部２１ａが挿通できる連通孔部１３を設けたものである。さらに、前記挿入用拡大孔１２の上端に前記突起部２３の前後幅と左右幅のうち幅狭側が通過するが幅広側が通過できない切欠孔１４を設けている。
【００１８】
このような構成により、図４、図５及び図６に示すよう前記取付支持具１の碗状本体１０の側面上部に設けた挿入用拡大孔１２に前記吊下体２の係止用拡大部２１を一致させるとともに係止用拡大部２１の上端に突設した前後幅と左右幅の異なる突起部２３を幅狭い方を切欠孔１４に合致させる。
【００１９】
続いて、吊下体２の係止用拡大部２１を挿入用拡大孔１２に挿通すればそれに伴い係止用拡大部２１の下方部２１ａが連通孔部１３を通過して前記係止用拡大部２１が係止孔１１の孔縁に係止して、吊下体２が取付支持具１に吊り下げられることになる。
【００２０】
また、吊下体２は上端に設けた係止用拡大部２１を前記係止孔１１の孔縁に係止して吊り下げられるので、図９に示すように取付支持具１を傾斜した天井面（イ）に取り付けても、吊下体２は傾くことなく安定して吊り下げできものである。
【００２１】
また、前記挿入用拡大孔１２の上端に設けた切欠孔１４は、前記吊下体２の係止用拡大部２１の上端に突設した前後幅と左右幅の異なる突起部２３の幅狭側が通過するが幅広側が通過できない大きさとしたものであるから、図２及び図７に示すように吊下体２を水平に回動させて突起部２３の幅広側が切欠孔１４を臨ませて、吊下体２が取付支持具１から外れることを防止できるものである。
【００２２】
また、前記吊下体２はこの実施形態では、図１１、図１２及び図１３に示すように金属製棒状体よりなる吊下本体２０の上方に形成した円柱体部２０１の上端に小径円柱部２０２を連設して該小径円柱部２０２に嵌着した前記係止孔１１より大径なリング体２０３を係止用拡大部２１としている。また、該リング体２０３の上端より突出する小径円柱部２０２ａを横方向にプレス加工して前後幅と左右幅の異なる突起部２３を係止用拡大部２１の上端に突設したものとしている。このような構成とすることにより、製造が容易で安価に提供でき好ましいものである。この場合、図１２に示すように前後幅と左右幅の異なる突起部２３の幅広側となる両側下端がリング体２０３の孔縁の上方に位置させてて吊下体２の係止用拡大部２１となるリング体２０３が小径円柱部２０２から抜け出ることなく固定できるものとしている。
【００２３】
また、前記取付支持具１の碗状本体１０を、上端側の大径半球体部１０ａと下端側の小径半球体部１０ｂよりなるものとして、また、前記吊下体２の係止用拡大部２１の下面を前記小径半球体部１０の内弧面に合致する凸弧面に形成しており、吊下体２の係止用拡大部２２の下面が弧面により全体が接触して支持されて係止孔１１が変形、損傷することがなく好ましいものである。
【００２４】
なお、この図示した実施形態では、取付支持具１を天井面（イ）への取付手段を、碗状本体１０の上端周縁に取付用鍔部１５を張設して、該取付用鍔部１５に設けたねじ挿通孔１５ａから止めねじ１５ｂを天井面（イ）にねじ止めして取り付けるものとしているが、取付支持具１を天井面（イ）に的確に取り付けできるものであれば構造は特に限定されることは無いものである。
【符号の説明】
【００２５】
１  取付支持具
10  碗状本体
10a  大径半球体部
10ｂ  小径半球体部
11  係止孔
12  挿入用拡大孔
13  連通孔部
14  切欠孔
２  吊下体
20  吊下本体
21  係止用拡大部
22  フック部
【図１】
0003180585.tif 000003
【図２】
0003180585.tif 000004
【図３】
0003180585.tif 000005
【図４】
0003180585.tif 000006
【図５】
0003180585.tif 000007
【図６】
0003180585.tif 000008
【図７】
0003180585.tif 000009
【図８】
0003180585.tif 000010
【図９】
0003180585.tif 000011
【図１０】
0003180585.tif 000012
【図１１】
0003180585.tif 000013
【図１２】
0003180585.tif 000014
【図１３】
0003180585.tif 000015